(57)【要約】【課題】容易かつ安全に、低コストかつコンパクトに、圧板を用いて原稿画像の読み取りを行うときにおける異常画像の発生を防ぎ得る画像読取装置とする。【解決手段】原稿突き当て部材１０ａ、１０ｂの原稿突き当て面１０１ａ、１０１ｂをコンタクトガラス３の表面に対して鈍角をなす斜面とし、圧板２の原稿突き当て部材１０ａ、１０ｂへの接触面は逆傾斜で同一あるいはほぼ同一の斜面とする。圧板２のセット時は間違いなく圧板２の縁が原稿突き当て部材１０ａ、１０ｂの上側に乗り、かつ圧板２の上部は原稿突き当て部材１０ａ、１０ｂの上方へ突出して位置する形態となる。そのため圧板２をコンタクトガラス３上の原稿２０の上に降ろせば原稿２０の縁と隙間ができにくくなり、たとえ隙間ができてもＡＤＦ５の裏面５ｂが原稿読取装置１によっては読み取られることがなく、異常画像の発生を防止できる。【選択図】図８
2012063491.tif 000002
【特許請求の範囲】
【請求項１】
コンタクトガラスへ原稿をセットするための基準となる原稿突き当て部に前記原稿の縁を突き当てて該原稿を前記コンタクトガラスに載置し、圧板を用いて前記コンタクトガラス上に載置された前記原稿を固定し、前記コンタクトガラスへ密着させて前記原稿の原稿面の画像を読み取る画像読取装置において、
前記圧板を画像読取装置の構成体へ固定するために設ける複数の圧板固定部材のうち前記原稿をセットするための基準となる位置に対応させて設ける圧板固定部材のストロークが、他の圧板固定部材よりも長い、
ことを特徴とする画像読取装置。
【請求項２】
請求項１の画像読取装置において、
前記圧板固定部材に弾性部材を用い、前記原稿をセットするための基準となる位置に対応させて設けるストロークの長い弾性部材の材質を、前記圧板を閉じたときの押圧力が他の弾性部材より弱く、かつ前記圧板を閉じたときの前記複数の弾性部材の押圧力が均一となるように構成したことを特徴とする画像読取装置。
【請求項３】
請求項１の画像読取装置において、
前記圧板固定部材に弾性部材を用い、前記原稿をセットするための基準となる位置に対応させて設けるストロークの長い弾性部材の面積を他の弾性部材より小さくして押圧力を弱め、前記圧板を閉じたときの前記複数の弾性部材の押圧力が均一となるように構成したことを特徴とする画像読取装置。
【請求項４】
請求項２または３の画像読取装置において、前記弾性部材がスポンジであることを特徴とする画像読取装置。
【請求項５】
コンタクトガラスへ原稿をセットするための基準となる原稿突き当て部に前記原稿の縁を突き当てて該原稿を前記コンタクトガラスに載置し、圧板を用いて前記コンタクトガラス上に載置された前記原稿を固定し、前記コンタクトガラスへ密着させて前記原稿の原稿面の画像を読み取る画像読取装置において、
前記原稿突き当て部材の原稿突き当て面は、上縁側が前記コンタクトガラスの外周縁側へ傾いた斜面を有し、
前記圧板の前記原稿突き当て部材の前記斜面と反対側へ傾いた斜面を有する、
ことを特徴とする画像読取装置。
【請求項６】
請求項５の画像読取装置において、
前記圧板を閉じて前記原稿突き当て部材の斜面と前記圧板の斜面とが接触した状態で前記圧板の上部が前記原稿突き当て部材の斜面の上縁よりも上方に位置する構成としたことを特徴とする画像読取装置。
【請求項７】
請求項５または６の画像読取装置において、
前記圧板を画像読取装置の構成体へ固定するために複数の圧板固定部材を備え、これら圧板固定部材のうち前記原稿をセットするための基準となる位置に対応させて設ける圧板固定部材のストロークが、他の圧板固定部材よりも長いことを特徴とする画像読取装置。
【請求項８】
請求項７の画像読取装置において、
前記圧板固定部材に弾性部材を用い、前記原稿をセットするための基準となる位置に対応させて設けるストロークの長い弾性部材の材質を、前記圧板を閉じたときの押圧力が他の弾性部材より弱く、かつ前記圧板を閉じたときの前記複数の弾性部材の押圧力が均一となるように構成したことを特徴とする画像読取装置。
【請求項９】
請求項７の画像読取装置において、
前記圧板固定部材に弾性部材を用い、前記原稿をセットするための基準となる位置に対応させて設けるストロークの長い弾性部材の面積を他の弾性部材より小さくして押圧力を弱め、前記圧板を閉じたときの前記複数の弾性部材の押圧力が均一となるように構成したことを特徴とする画像読取装置。
【請求項１０】
請求項８または９の画像読取装置において、前記弾性部材がスポンジであることを特徴とする画像読取装置。
【請求項１１】
請求項１から１０のいずれかに記載の画像読取装置において、自動原稿送り装置を備えたことを特徴とする画像読取装置。
【請求項１２】
請求項１から１１のいずれかに記載の画像読取装置を備えたことを特徴とする画像形成装置。
【発明の詳細な説明】
【技術分野】
【０００１】
本発明は、ファクシミリ、スキャナー、コピー機及びこれらの複合機等に用いる画像読取装置、自動原稿送り機能付きの画像読取装置、及びこれらを用いる画像形成装置に関する。
【背景技術】
【０００２】
図１は従来のコピー機等や複合機等の画像形成装置において自動原稿送り機能を用いるものを示す斜視図である。図中１は画像読取装置、２は圧板、３はコンタクトガラス、４は画像を記録済みの用紙をスタックする排紙部、５は自動原稿送り装置（以下、ＡＤＦと言う）、６は給紙部、７はＡＤＦ５の原稿の載置板である。ＡＤＦ５は、装置正面側の取っ手３０により背面側のヒンジ（図２に符号３１で示す）を利用して上げ下げ回動による開閉が可能となっている。また給紙部６は、複数の給紙段２５〜２８を備えている。またＡＤＦ５から送り出される原稿をスタックする原稿排紙トレイ２９を有している。なお図中９はシートスルー原稿読取用のコンタクトガラスである。
【０００３】
そして、ＡＤＦ５と圧板２の固定部材は、スポンジ等の弾性部材２１（以下、特に必要がなければスポンジ２１と記載する）でなされている（図５参照）。すなわちＡＤＦ５の構成部材５ａの裏面（下面）５ｂにスポンジ２１が両面テープ等で貼付してあり、圧板２とスポンジ２１は面ファスナー２２を介して接続してあり、圧板２をＡＤＦ５から着脱可能な構成としてある。圧板２をＡＤＦ５に対して位置出しする場合、いったんＡＤＦ５から圧板２を外し、圧板２の二つの隣り合う縁を原稿突き当て部材１０ａ、１０ｂ（図３に示す）にそれぞれ突き当てた状態とし、その状態でＡＤＦ５を閉じることで、ＡＤＦ５に圧板２を装着する。この装着動作によって圧板２の位置出しが行える。
【０００４】
このような画像形成装置においてＡＤＦ５の自動原稿送り機能を用いずに原稿画像を読み取ろうとするときは、図２に示すようにＡＤＦ５を取っ手３０を利用するなどして持ち上げて開放し、コンタクトガラス３の縁に設けた原稿突き当て部材１０ａ、１０ｂに原稿２０の縁を沿わせつつ突き当てることによってコンタクトガラス３上に原稿２０を載せ（図４）、その後にＡＤＦ５を閉じ、図５に示すように圧板２で原稿２０を抑えた状態とし、操作パネル１１上のスタートボタンを押し、画像読み取り作業を行う。
【０００５】
ところが、原稿突き当て部材１０ａ、１０ｂの原稿突き当て面（例えば図３（Ｂ）に符号１０１ｂで示す面）や圧板２の原稿を押さえ面は、完全な平面ではないことが多いし、さらには原稿突き当て部材１０ａ、１０ｂがきちんと直角をなして交差し、かつそれらの原稿突き当て面が完全に平面だったとしても、原稿２０そのものの縁が直線状ではないこともあるため、いずれにしても原稿２０の縁と原稿突き当て部材１０ａ、１０ｂの原稿突き当て面との間には微小な隙間（例えば図６の符号Ｘ）ができることがある。そのような隙間があると、ＡＤＦ５の構成部材５ａの裏面（下面）５ｂの一部を画像読取装置１が画像として読み込んでしまうため、その部分が黒い画像となって現れ、いわゆる異常画像となる。
【０００６】
また、原稿突き当て部材１０ａ、１０ｂにそれぞれ原稿２０の縁をきちんと突き当てたとしても、ＡＤＦ５を閉じる動作を行う際の圧板２と原稿２０との接触や、ＡＤＦ５を閉じる動作に伴う風圧により、原稿２０の位置がずれてしまったり、原稿２０が斜めに曲がったりして異常画像になってしまうことがある。
【０００７】
特許文献１に記載されている技術では、上述のような問題に関し、原稿セット基準面にコンタクトガラスとの間で原稿の端部を保持する保持手段を備え、この保持手段が、原稿セット基準面の下端から上端に向かって、コンタクトガラスの内側へ突出形成した傾斜面を有し、原稿の保持性を向上させることを図っている。
【発明の概要】
【発明が解決しようとする課題】
【０００８】
しかしながら特許文献１の発明においては、保持手段で原稿が隠れてしまうために視認性が悪く、また保持手段に原稿が引っかかりやすい等の問題がある。
【０００９】
そこで本発明においては、容易かつ安全に、しかも低コストかつコンパクトに、圧板を用いて原稿画像の読み取りを行うときにおける上述のような異常画像の発生を防ぎ得る画像読取装置、自動原稿送り装置付きの画像読取装置、及びこれらを用いた画像形成装置を提供することを目的とする。
【課題を解決するための手段】
【００１０】
本発明の画像読取装置のうち請求項１に係るものは、コンタクトガラスへ原稿をセットするための基準となる原稿突き当て部に前記原稿の縁を突き当てて該原稿を前記コンタクトガラスに載置し、圧板を用いて前記コンタクトガラス上に載置された前記原稿を固定し、前記コンタクトガラスへ密着させて前記原稿の原稿面の画像を読み取る画像読取装置において、前記圧板を画像読取装置の構成体へ固定するために設ける複数の圧板固定部材のうち前記原稿をセットするための基準となる位置に対応させて設ける圧板固定部材のストロークが、他の圧板固定部材よりも長いことを特徴とする。
【００１１】
同請求項２に係るものは、請求項１の画像読取装置において、前記圧板固定部材に弾性部材を用い、前記原稿をセットするための基準となる位置に対応させて設けるストロークの長い弾性部材の材質を、前記圧板を閉じたときの押圧力が他の弾性部材より弱く、かつ前記圧板を閉じたときの前記複数の弾性部材の押圧力が均一となるように構成したことを特徴とする。
【００１２】
同請求項３に係るものは、請求項１の画像読取装置において、前記圧板固定部材に弾性部材を用い、前記原稿をセットするための基準となる位置に対応させて設けるストロークの長い弾性部材の面積を他の弾性部材より小さくして押圧力を弱め、前記圧板を閉じたときの前記複数の弾性部材の押圧力が均一となるように構成したことを特徴とする。
【００１３】
同請求項４に係るものは、請求項２または３の画像読取装置において、前記弾性部材がスポンジであることを特徴とする。
【００１４】
同請求項５に係るものは、コンタクトガラスへ原稿をセットするための基準となる原稿突き当て部に前記原稿の縁を突き当てて該原稿を前記コンタクトガラスに載置し、圧板を用いて前記コンタクトガラス上に載置された前記原稿を固定し、前記コンタクトガラスへ密着させて前記原稿の原稿面の画像を読み取る画像読取装置において、前記原稿突き当て部材の原稿突き当て面は、上縁側が前記コンタクトガラスの外周縁側へ傾いた斜面を有し、前記圧板の前記原稿突き当て部材の前記斜面と反対側へ傾いた斜面を有することを特徴とする。
【００１５】
同請求項６に係るものは、請求項５の画像読取装置において、前記圧板を閉じて前記原稿突き当て部材の斜面と前記圧板の斜面とが接触した状態で前記圧板の上部が前記原稿突き当て部材の斜面の上縁よりも上方に位置する構成としたことを特徴とする。
【００１６】
同請求項７に係るものは、請求項５または６の画像読取装置において、前記圧板を画像読取装置の構成体へ固定するために複数の圧板固定部材を備え、これら圧板固定部材のうち前記原稿をセットするための基準となる位置に対応させて設ける圧板固定部材のストロークが、他の圧板固定部材よりも長いことを特徴とする。
【００１７】
同請求項８に係るものは、請求項７の画像読取装置において、前記圧板固定部材に弾性部材を用い、前記原稿をセットするための基準となる位置に対応させて設けるストロークの長い弾性部材の材質を、前記圧板を閉じたときの押圧力が他の弾性部材より弱く、かつ前記圧板を閉じたときの前記複数の弾性部材の押圧力が均一となるように構成したことを特徴とする。
【００１８】
同請求項９に係るものは、請求項７の画像読取装置において、前記圧板固定部材に弾性部材を用い、前記原稿をセットするための基準となる位置に対応させて設けるストロークの長い弾性部材の面積を他の弾性部材より小さくして押圧力を弱め、前記圧板を閉じたときの前記複数の弾性部材の押圧力が均一となるように構成したことを特徴とする。
【００１９】
同請求項１０に係るものは、請求項８または９の画像読取装置において、前記弾性部材がスポンジであることを特徴とする。
【００２０】
同請求項１１に係るものは、請求項１から１０のいずれかに記載の画像読取装置において、自動原稿送り装置を備えたことを特徴とする。
【００２１】
同請求項１２に係る画像形成装置は、請求項１から１１のいずれかに記載の画像読取装置を備えたことを特徴とする。
【発明の効果】
【００２２】
本発明によれば、圧板を用いた画像形成時における異常画像の発生を防ぎ得る自動原稿送り装置、これを用いた画像読取装置、及び画像形成装置を提供できる。
【図面の簡単な説明】
【００２３】
【図１】従来のコピー機等や複合機等の画像形成装置において自動原稿送り機能を用いるものの一例を示す斜視図
【図２】図１の画像形成装置においてＡＤＦの自動原稿送り機能を用いずに原稿画像を読み取ろうとするためのＡＤＦの開閉動作状態を示す斜視図
【図３】図１の装置での、コンタクトガラスと原稿突き当て部材の配置を示す平面図（Ａ）とＢ−Ｂ断面図（Ｂ）
【図４】図１の装置で、コンタクトガラス上に原稿突き当て部材を用いて原稿をセットする状態を示す平面図（Ａ）とＢ−Ｂ断面図（Ｂ）
【図５】図１の装置で、圧板により原稿をコンタクトガラス上に抑えた状態を示す断面図
【図６】図５の状態で原稿の縁と原稿突き当て部材の原稿突き当て面との間に微小な隙間ができる状態を示した拡大断面図
【図７】本発明の実施例１を示す正面断面図（Ａ）と右側面断面図（Ｂ）
【図８】本発明の実施例１においてコンタクトガラス上に原稿突き当て部材を用いて原稿をセットする状態を示す正面断面図（Ａ）と右側面断面図（Ｂ）
【図９】圧板固定部材であるスポンジの配置例を示す平面図（Ａ）と原稿セット基準位置を示す平面図（Ｂ）
【図１０】図９（Ａ）に示した圧板とスポンジの斜視図（Ａ）と、これを用いた原稿セット状態を示す平面図（Ｂ）
【発明を実施するための形態】
【００２４】
本発明の実施形態としては、原稿セット基準位置のストロークを長くすることにより、圧板は、原稿セット基準位置側からコンタクトガラスに接触する、というものである。また本発明の別の実施形態としては、原稿の突き当て面に斜面を設けることにより、隙間による黒色異常画像をなくすというものである。第１の実施形態では、突き当て面に斜面を設けないが、第２の実施形態のように突き当て面に斜面を設けると、圧板と突き当て部材の隙間をなくして異常画像を防ぐことに加え、原稿セット基準位置側の圧板固定部材のストロークが他の圧板固定部材よりも長いため、圧板を閉めるときに圧板と突き当て部材が互いに押圧され、そのため圧板と原稿との接触や、圧板を閉じたときの風圧によって原稿位置がずれたり、原稿が斜めなったりすることによる異常画像の発生を防ぎやすくなる。
【００２５】
すなわち、圧板と突き当て部材の端部が斜面であれば、隙間ができても、必ず原稿の縁部分の上側には圧板が存在するため、画像読取装置がＡＤＦの裏面部分を読むことがなくなる。また圧板と突き当て部材の端部が斜面であると、圧板と突き当て部材の接触時に衝突が緩和されるため、衝突音の緩和と圧板と突き当て部材の端部の破損を防ぐことが可能になる。
【実施例】
【００２６】
以下、本発明の実施例を図面を参照して説明する。
図７は本発明の実施例１を示す正面断面図（Ａ：図５と同方向から見た図）と、右側面断面図（Ｂ：図３の右方以降から見て原稿突き当て部材１０ａを示す図）である。原稿突き当て部材１０ａ、１０ｂの原稿突き当て面１０１ａ、１０１ｂはコンタクトガラス３の表面に対して垂直ではなく、原稿突き当て面１０１ａ、１０１ｂがコンタクトガラス３の表面に対して鈍角をなす斜面（傾きがコンタクトガラス３の外周縁側へ傾いている）となっており、圧板２の原稿突き当て部材１０ａ、１０ｂへの接触面側も、逆傾斜で同一あるいはほぼ同一の斜面をなしている。このため、既述のような圧板２のセット方法を用いれば、間違いなく圧板２の縁が原稿突き当て部材１０ａ、１０ｂの上側に乗り、かつ圧板２の上部は原稿突き当て部材１０ａ、１０ｂの上方へ突出して位置するようになり、圧板２をコンタクトガラス３上に降ろしても既述のような隙間ができなくなる位置調整が可能になり、ＡＤＦ５の構成部材５ａの裏面５ｂが原稿読取装置１によって読み取られることで生じる異常画像の発生を少なくできる。
【００２７】
なお突き当て面１０１ｂの内角αの角度、すなわち突き当て面１０１ｂの斜度があまり鋭角すぎると、原稿２０のセット時（図８（Ａ）、（Ｂ）参照）に原稿２０が突き当て面１０１ｂに乗りあげてしまいやすくなるため、斜面のなす内角αは６０〜８０度程度が好ましい。もっとも、この傾斜角度は適宜決定すればよく、この説明あるいは図示した例には限定されない。
【００２８】
そして、図８に示すように、コンタクトガラス３上に原稿２０をセットする際には、圧板２が原稿突き当てて部材１０ａ、１０ｂに対して押圧されることから、上述の原稿２０縁の隙間をなくすことができる。
【００２９】
なお、ＡＤＦ５と圧板２の固定には、上述した従来例と同様に圧板固定部材としてスポンジ２１を使用すればよいが、原稿セット基準位置（図９（Ａ）に符号Ｚで示す位置：図示の例では原稿突き当て面１０１ａ、１０１ｂの交点位置に近い位置）側に設けるスポンジ２１ａ（図９（Ｂ）参照）は、他の位置のスポンジ２１よりもストロークが長いものを用いることが好ましい。他の位置のスポンジ２１の厚さ（換言すれば、圧板２の上面からの、あるいはＡＤＦ５の構成部材５ａの裏面５ｂからの高さ）を例えば１０ｍｍとした場合、原稿セット基準位置Ｚに対応させて設けるスポンジのストロークは例えば１５ｍｍ程度とすることが好ましい。このように構成することで、ＡＤＦ５を開くときには、原稿セット基準位置Ｚ側の圧板２が他の部位よりも垂れ下がっている状態になる。
【００３０】
すなわち、ＡＤＦ５を閉じるとき、圧板２の原稿セット基準位置Ｚ側からコンタクトガラス３側に接触し、原稿突き当て部材１０に対して、押圧する形となる（図１０参照）。またコンタクトガラス３上に原稿２０が載っている場合は、原稿セット基準位置Ｚ側の圧板２の固定部材であるスポンジ２１ａのストロークが他の圧板固定部材であるスポンジ２１よりも長いため、圧板２を閉じるときに、原稿セット基準位置Ｚにおいて真っ先に圧板２と原稿突き当てて部材１０ａ、１０ｂが押圧されるため、圧板２と原稿２０との接触や閉じたときの風圧により、原稿２０の位置がずれたり、原稿２０が斜めになったりしにくくなり、その分、異常画像の発生を防ぎ安くなる。
【００３１】
なおこの構造は、スポンジ２０ａのストロークを長くする構成であるため、追加の部品は不要であり、コストアップすることなく実現可能である。
【００３２】
また圧板２と突き当て部材１０ａ、１０ｂの端部が斜面をなしているため、圧板２と突き当て部材１０ａ、１０ｂの接触時に衝突を緩和し、衝突音の緩和と、圧板２と突き当て部材１０ａ、１０ｂの端部の破損を防ぐことも可能になる。これは、斜面のほうが面積が大きいためであり、面積が大きくなればなるほど衝突の際の力が緩和されることによるものである。
【００３３】
なお、原稿セット基準位置Ｚに設けるスポンジ２０ａのストロークを長くするだけでなく、突き当て部材１０ａ、１０ｂの斜面に対応する部分のストロークを長くすることでもよい。
【００３４】
またなお、上述のようなストロークの長いスポンジ２０ａに対応する圧板２の部分では、他の部分に比べて、押圧力が強くなると考えられる。すなわち、ストロークの長いスポンジ２０ａに対応する部分と、その他の部分とで、圧板２による押圧力のバラつきが生じることがあり得る。このような押圧力のバラつきについては特許文献２に記載されているように、画像に影の部分が出るなどの影響が現れる可能性がある。この点については、例えば、ストロークの長いスポンジの材質を、閉じたときのスポンジの押圧力が弱いスポンジに変え、圧板２を閉じたときに４つのスポンジの押し圧力が均一になるようにするとか、ストロークの長いスポンジの面積を小さくすることで押し圧力を弱め、圧板２を閉じたとき図示の例で言えば４つのスポンジ２１の押圧力が均一になるようにすることで解決可能である。このような構成とすれば、異常画像の防止に合わせて、圧板閉時に、原稿を自動で原稿突き当て部材１０に突き当て得るため、原稿のセット性が向上する。
【符号の説明】
【００３５】
１：画像読取装置
２：圧板
３：コンタクトガラス
４：排紙部
５：自動原稿送り装置（ＡＤＦ）
５ａ：ＡＤＦの構成部材
５ｂ：ＡＤＦの構成部材の裏面（下面）
６：給紙部
７：原稿の載置板
９：シートスルー原稿読み取り用のコンタクトガラス
１０、１０ａ、１０ｂ：原稿突き当て部材
１１：操作パネル
２０：原稿
２１：弾性部材
２１ａ：スポンジ
２２：面ファスナー
２５〜２８：給紙段
２９：原稿排紙トレイ
３０：取っ手
３１：ヒンジ
１０１ａ、１０１ｂ：原稿突き当て面
α：突き当て面の内角
Ｘ：隙間
Ｚ：原稿セット基準位置
【先行技術文献】
【特許文献】
【００３６】
【特許文献１】特開２００４−１６３８３５号公報
【特許文献２】特許第３５７６７４６号公報
【特許文献３】特開２００９−０４４５８６号公報
【特許文献４】特開２００７−３０９９６８号公報
【図１】
2012063491.tif 000003
【図２】
2012063491.tif 000004
【図３】
2012063491.tif 000005
【図４】
2012063491.tif 000006
【図５】
2012063491.tif 000007
【図６】
2012063491.tif 000008
【図７】
2012063491.tif 000009
【図８】
2012063491.tif 000010
【図９】
2012063491.tif 000011
【図１０】
2012063491.tif 000012